(57)【要約】【課題】紡機用リングにトラベラを着脱する場合、トラベラを落としたり、失敗したりすることがなく、経済性を向上すると共に生産性を向上した簡易なトラベラ着脱器を提供することを目的とする。【解決手段】着脱器本体の一端に、扁平な舌片より構成され、先端に向かい高さ方向に先細とし、かつ厚さ方向に円弧状としたトラベラ保持部を設け、上記トラベラ保持部の上部外周縁に先端に向かい先細となるように構成したトラベラ案内片を設け、着脱器本体の他端に把持部を設けて紡機用トラベラ着脱器を構成する。【選択図】図２
2005082923.tif 000002
【特許請求の範囲】
【請求項１】
着脱器本体の一端に、扁平な舌片より構成され、先端に向かい高さ方向に先細とし、かつ厚さ方向に円弧状としたトラベラ保持部を設け、上記トラベラ保持部の上部外周縁に先端に向かい先細となるように構成したトラベラ案内片を設けてなる紡機用トラベラ着脱器。
【請求項２】
トラベラ保持部の先端を円弧面とした請求項１記載の紡機用トラベラ着脱器。
【請求項３】
着脱器本体の他端に把持部を設けた請求項１または請求項２記載の紡機用トラベラ着脱器。
【発明の詳細な説明】
【技術分野】
【０００１】
本発明は、精紡機のリング、特に傾斜フランジを有するリングにトラベラを取付け、或いはリングからトラベラを取り外す時に使用する紡機用トラベラ着脱器であって、リング及びトラベラを損傷することなく、安全で確実に着脱できるトラベラ着脱器に関するものである。
【背景技術】
【０００２】
従来、精紡機のリング、特に傾斜フランジを有するリングにトラベラを取付ける場合、専用のトラベラ取付け装置を使用するか、トラベラを指で摘んで直接リングに取付けていた。
【０００３】
上記専用のトラベラ取付け装置は、予備のトラベラを案内するトラベラガイドバー或いはマガジンロッドとトラベラをリングに取付けるために設けられたトラベラ嵌着レバー或いは分離部材とから構成されている。
【特許文献１】特公昭６１―４４９７５号公報
【特許文献２】特公平３―２０４９３号公報
【発明の開示】
【発明が解決しようとする課題】
【０００４】
上記のように構成されたトラベラ取付け装置では、トラベラガイドバー或いはマガジンロッドおよびトラベラ嵌着レバー或いは分離部材がトラベラの種類或いはトラベラの形状によって異なるため、使用するトラベラを変更する場合は、上記各構成要素を交換しなければならず、手間が掛り、生産性を低下すると共に、トラベラの取外しを行うことができないという問題点がある。
また、トラベラの着脱を行う場合、トラベラを指で摘んでトラベラをリングに取付ける時、トラベラが非常に小さいため、トラベラを落としたり、失敗したりすることがあり、経済性が悪くなると共に生産性を低下し、また、特にトラベラを取外す場合には指を傷つけるという問題点がある。
【課題を解決するための手段】
【０００５】
本発明の紡機用トラベラ着脱器は上記問題点を解決するためになされたものであり、着脱器本体の一端に、扁平な舌片より構成され、先端に向かい高さ方向に先細とし、かつ厚さ方向に円弧状としたトラベラ保持部を設け、上記トラベラ保持部の上部外周縁に先端に向かい先細となるように構成したトラベラ案内片を設け、好ましくトラベラ保持部の先端を円弧面とし、さらに着脱器本体の他端に把持部を設けた構成とすることにより、リング及びトラベラを損傷することなく、安全で確実に着脱できる紡機用トラベラ着脱器を提供するものである。
【発明の効果】
【０００６】
上記のように、着脱器本体の一端に、扁平な舌片より構成され、先端に向かい高さ方向に先細とし、かつ厚さ方向に円弧状としたトラベラ保持部を設け、上記トラベラ保持部の上部外周縁に先端に向かい先細となるように構成したトラベラ案内片を設けたことにより、トラベラ保持部にトラベラを保持した状態でリングに沿わした時、トラベラ保持部とリングが干渉せず、しかもトラベラ保持部の湾曲部がトラベラのストッパーの役割をし、安定してリングにトラベラを取り付けることができる。
【０００７】
また、トラベラ保持部の先端を円弧面とすることにより、取扱いにおいて手を傷つけたりすることがなく安全であり、しかもトラベラをリングから取外す時、トラベラ保持部の先端をトラベラとリングとの間への挿入が容易となる。
【０００８】
さらに、着脱器本体の他端に把持部を設けることにより、トラベラ着脱器を確実に安定して把持することができ、取扱いが容易となる等、優れた効果を有するものである。
【発明を実施するための最良の形態】
【０００９】
以下、本発明における紡機用トラベラ着脱器の実施の一形態について説明する。
【００１０】
図１〜図４は本発明の紡機用トラベラ着脱器の一実施例を示し、図１は正面図、図２は平面図、図３は図１のＸ−Ｘ線断面図、図４は図１のＹ−Ｙ線断面図である。
【００１１】
本発明の紡機用トラベラ着脱器は図１および図２に示すように、硬鋼線、合金鋼線等の線材を用いて平線に圧延加工を施し、さらに圧延して一端に突条を有する断面略Ｌ字状とした着脱器本体１を形成する。
【００１２】
さらに、上記着脱器本体１の一端を高さ方向に先端に向かって先細に形成すると共に、幅方向に先端に向かって薄くなるように形成し、さらに突条２と反対側に円弧状に湾曲してトラベラ保持部３を設けて紡機用トラベラ着脱器４を構成する。
【００１３】
なお、着脱器本体１の他端は把持部５である。
【００１４】
上記構成において、着脱器本体を断面略Ｌ字状としたが、矩形形状とすることもでき、上記矩形形状の着脱器本体の一端を上部に突条２を有する断面略Ｌ字状に加工し、断面略Ｌ字状に加工された端部を高さ方向に先端に向かって先細に形成すると共に、幅方向に先端に向かって薄くなるように形成し、さらに突条２と反対側に円弧状に湾曲してトラベラ保持部３を設けた紡機用トラベラ着脱器を構成することもできる。
【００１５】
また、断面略Ｌ字状を有し、高さ方向に先端に向かって先細に形成すると共に、幅方向に先端に向かって薄くなるように形成し、さらに突条と反対側に円弧状に湾曲されたトラベラ保持部と、矩形形状を有する着脱器本体を溶接、ねじ止め等の接合手段により一体に取り付けて紡機用トラベラ着脱器を構成することもできる。
【実施例１】
【００１６】
本発明の紡機用トラベラ着脱器６は、図５に示すように、断面略Ｌ字状とした着脱器本体７の一端を高さ方向に先端に向かって先細に形成すると共に、幅方向に先端に向かって薄くなるように形成し、さらに突条８と反対側に円弧状に湾曲してトラベラ保持部９を形成し、着脱器本体７の他端を木、プラスチック等の素材により形成された把持部１０の端部に挿入固着して紡機用トラベラ着脱器６を構成する。
【００１７】
上記紡機用トラベラ着脱器４を用いて傾斜フランジを有するリング１１にトラベラ１２を取り付ける取付け方法を図６に基づいて説明する。
【００１８】
トラベラ着脱器４のトラベラ保持部３に予めトラベラ１２を引っ掛け、トラベラ保持部３にトラベラ１２を保持した状態で、リング１１のフランジ１３の内側にトラベラ１２の足先をはめ込み、フランジ１３の外側にトラベラ保持部３を接触させ、トラベラ着脱器４を矢印Ａ方向に押し込むことにより、トラベラ１２はリング１１のフランジ１３に嵌り込み、トラベラ着脱器４をトラベラ１２から外すと、トラベラ１２はフランジ１３に取り付けられる。
【００１９】
また、リング１１のフランジ１３に取り付けられたトラベラ１２を取外す場合は、フランジ１３の外側のフランジ１３とトラベラ１２との間にトラベラ保持部３の先端を差し込み、矢印Ｂ方向に廻しながら上方にトラベラ着脱器４を持ち上げると、トラベラ１２はフランジ１３から取外される。
【図面の簡単な説明】
【００２０】
【図１】本発明の紡機用トラベラ着脱器の一実施例を示す正面図である。
【図２】図１の平面図である。
【図３】図１のＸ−Ｘ線断面図である。
【図４】図１のＹ−Ｙ線断面図である。
【図５】本発明の紡機用トラベラ着脱器の他の実施例を示す平面図である。
【図６】本発明の紡機用トラベラ着脱器の使用状態を示す一部破断断面図である。
【符号の説明】
【００２１】
１、７  着脱器本体
２、８  突条
３、９  トラベラ保持部
４、６  紡機用トラベラ着脱器
５、１０  把持部
１１  リング
１２  トラベラ
１３  フランジ
【図１】
2005082923.tif 000003
【図２】
2005082923.tif 000004
【図３】
2005082923.tif 000005
【図４】
2005082923.tif 000006
【図５】
2005082923.tif 000007
【図６】
2005082923.tif 000008